(57)【要約】【課題】同一箇所に設置する携帯端末検知装置を１台にし、かつ個人情報を保護して異なるＰＵＳＨ配信サービスの登録ユーザの携帯端末装置に適切な配信情報をＰＵＳＨ配信することができる情報配信制御装置を提供する。【解決手段】情報配信制御装置は、登録確認部と、サービス提供指示部とを備える。前記登録確認部は、携帯端末装置の識別子が前記携帯端末装置と通信しない情報配信制御装置の提供するサービスに登録されているか否かを示す情報を取得する。前記サービス提供指示部は、前記登録確認部が、携帯端末装置の識別子が前記携帯端末装置と通信しない情報配信制御装置の提供するサービスに登録されていることを示す情報を取得した場合に、前記携帯端末装置と通信しない情報配信制御装置に対して当該携帯端末装置へサービスを提供するよう指示する。【選択図】図１
2015177500.tif 000002
【特許請求の範囲】
【請求項１】
携帯端末装置の識別子が、前記携帯端末装置と通信する自情報配信制御装置を除く、前記携帯端末装置と通信しない情報配信制御装置の提供するサービスに登録されているか否かを示す情報を取得する登録確認部と、
携帯端末装置の識別子が前記携帯端末装置と通信しない情報配信制御装置の提供するサービスに登録されていることを示す情報を前記登録確認部が取得した場合に、前記携帯端末装置と通信しない情報配信制御装置に対して当該携帯端末装置へサービスを提供するよう指示するサービス提供指示部と
を備える情報配信制御装置。
【請求項２】
前記登録確認部は、
携帯端末装置の識別子が前記携帯端末装置と通信しない情報配信制御装置の提供するサービスに登録されているか否かを確認する確認信号を前記携帯端末装置と通信しない情報配信制御装置に送信する
請求項１に記載の情報配信制御装置。
【請求項３】
前記登録確認部は、
携帯端末装置の識別子が前記携帯端末装置と通信しない情報配信制御装置の提供するサービスに登録されているか否かを確認する確認信号を前記携帯端末装置と通信しない情報配信制御装置の提供するサービスに登録されている携帯端末装置の識別子を管理する登録管理装置に送信する
請求項１に記載の情報配信制御装置。
【請求項４】
前記携帯端末装置の識別子が自情報配信制御装置の提供するサービスに登録されている場合に、当該携帯端末装置へサービスを提供するサービス提供制御部
を備える請求項１から請求項３の何れか一項に記載の情報配信制御装置。
【請求項５】
前記携帯端末装置の識別子が自情報配信制御装置の提供するサービスに登録されているか否かを判定する登録判定部
を備える請求項４に記載の情報配信制御装置。
【請求項６】
前記携帯端末装置が発信する電波に係る情報に基づいて前記携帯端末装置の識別子を特定する識別子特定部
を備える請求項１から請求項５の何れか一項に記載の情報配信制御装置。
【請求項７】
請求項１から請求項５の何れか一項に記載の情報配信制御装置と、
携帯端末装置が発信する電波を検知する携帯端末検知装置と、
を備える情報システム。
【請求項８】
前記携帯端末検知装置は、
前記検知した電波に係る情報に基づいて前記携帯端末装置の識別子を特定する識別子特定部
を備える請求項７に記載の情報システム。
【請求項９】
前記情報配信制御装置は、
前記携帯端末検知装置が検知した電波に係る情報に基づいて前記携帯端末装置の識別子を特定する識別子特定部
を備える請求項７に記載の情報システム。
【請求項１０】
携帯端末装置の識別子が前記携帯端末装置と通信しない情報配信制御装置の提供するサービスに登録されているか否かを示す情報を取得し、
前記携帯端末装置の識別子が前記携帯端末装置と通信しない情報配信制御装置の提供するサービスに登録されているか否かを示す情報が、携帯端末装置の識別子が前記携帯端末装置と通信しない情報配信制御装置の提供するサービスに登録されていることを示す情報である場合に、前記携帯端末装置と通信しない情報配信制御装置に対して当該携帯端末装置へサービスを提供するよう指示する情報配信制御方法。
【請求項１１】
情報配信制御装置のコンピュータを、
携帯端末装置の識別子が前記携帯端末装置と通信しない情報配信制御装置の提供するサービスに登録されているか否かを示す情報を取得する登録確認手段と、
携帯端末装置の識別子が前記携帯端末装置と通信しない情報配信制御装置の提供するサービスに登録されていることを示す情報を前記登録確認手段により取得した場合に、当該前記携帯端末装置と通信しない情報配信制御装置に対して当該携帯端末装置へサービスを提供するよう指示するサービス提供指示手段
として機能させるプログラム。
【発明の詳細な説明】
【技術分野】
【０００１】
本発明は、情報配信制御装置、情報システム、情報配信制御方法、及びプログラムに関する。
【背景技術】
【０００２】
情報システムにおいて、情報提供サービスの１つとして、登録ユーザの携帯端末装置が発信する電波を携帯端末検知装置が検知した場合に、広告やクーポンなどの配信情報を携帯端末装置にＰＵＳＨ配信するサービスが行われている。
特許文献１には、関連する技術として、配信情報を携帯端末装置に配信する際に、ネットワーク回線の負荷を分散させるように制御する技術が記載されている。
【先行技術文献】
【特許文献】
【０００３】
【特許文献１】特開２００６−２４６０９０号公報
【発明の概要】
【発明が解決しようとする課題】
【０００４】
ところで、ショッピングモールなどの一部区画を借り受ける店舗が配信情報を登録ユーザの携帯端末装置にＰＵＳＨ配信するサービス（以下、ＰＵＳＨ配信サービス）を行うことがある。この場合、ショッピングモールがＰＵＳＨ配信サービスを行うために用意した携帯端末検知装置と、店舗が独自のＰＵＳＨ配信サービスを行うために用意した携帯端末検知装置の２台が同一箇所に設置される可能性がある。
同一機能を有する複数の携帯端末検知装置が同一箇所に設置されることは、エネルギー資源や環境などの点から望ましくない。そこで、同一箇所に設置する携帯端末検知装置を１台にし、ショッピングモールが行うＰＵＳＨ配信サービスの登録ユーザのユーザ情報と、店舗が行うＰＵＳＨ配信サービスの登録ユーザのユーザ情報とを１つのデータにまとめて管理サーバが管理する。そして、携帯端末検知装置が検知した携帯端末装置を管理サーバが特定し適切な配信情報をＰＵＳＨ配信する方法が考えられる。しかしながら、異なるＰＵＳＨ配信サービスへの登録ユーザの情報を１つのデータにまとめることは、個人情報の保護の点から望ましくない。
そのため、同一箇所に設置する携帯端末検知装置を１台にし、かつ個人情報を保護して異なるＰＵＳＨ配信サービスの登録ユーザの携帯端末装置に適切な配信情報をＰＵＳＨ配信することができる技術が求められていた。
【０００５】
そこでこの発明は、上記の課題を解決することのできる情報配信制御装置、情報システム、情報配信制御方法、及びプログラムを提供することを目的としている。
【課題を解決するための手段】
【０００６】
上記目的を達成するために、本発明は、携帯端末装置の識別子が、前記携帯端末装置と通信しない情報配信制御装置の提供するサービスに登録されているか否かを示す情報を取得する登録確認部と、携帯端末装置の識別子が前記携帯端末装置と通信しない情報配信制御装置の提供するサービスに登録されていることを示す情報を前記登録確認部が取得した場合に、前記携帯端末装置と通信しない情報配信制御装置に対して当該携帯端末装置へサービスを提供するよう指示するサービス提供指示部とを備える情報配信制御装置である。
【０００７】
また本発明は、少なくとも、前記情報配信制御装置と、携帯端末装置が発信する電波を検知する携帯端末検知装置と、を備える情報システムである。
【０００８】
また本発明は、携帯端末装置の識別子が前記携帯端末装置と通信しない情報配信制御装置の提供するサービスに登録されているか否かを示す情報を取得し、前記携帯端末装置の識別子が前記携帯端末装置と通信しない情報配信制御装置の提供するサービスに登録されているか否かを示す情報が、携帯端末装置の識別子が前記携帯端末装置と通信しない情報配信制御装置の提供するサービスに登録されていることを示す情報である場合に、前記携帯端末装置と通信しない情報配信制御装置に対して当該携帯端末装置へサービスを提供するよう指示する情報配信制御方法である。
【０００９】
また本発明は、情報配信制御装置のコンピュータを、携帯端末装置の識別子が前記携帯端末装置と通信しない情報配信制御装置の提供するサービスに登録されているか否かを示す情報を取得する登録確認手段と、携帯端末装置の識別子が前記携帯端末装置と通信しない情報配信制御装置の提供するサービスに登録されていることを示す情報を前記登録確認手段により取得した場合に、前記携帯端末装置と通信しない情報配信制御装置に対して当該携帯端末装置へサービスを提供するよう指示するサービス提供指示手段として機能させるプログラムである。
【発明の効果】
【００１０】
本発明によれば、同一箇所に設置する携帯端末検知装置を１台にし、かつ個人情報を保護して異なるＰＵＳＨ配信サービスの登録ユーザの携帯端末装置に適切な配信情報をＰＵＳＨ配信することができる。
【図面の簡単な説明】
【００１１】
【図１】本発明の情報配信制御装置１０の最小構成の一例を示す図である。
【図２】本発明の第一の実施形態による情報システム１の一例を示す図である。
【図３】本発明の第一の実施形態による情報配信制御装置１０を備える情報システム１の処理フローの一例を示す図である。
【図４】本発明の第二の実施形態による情報システム１の一例を示す図である。
【図５】本発明の第二の実施形態による情報配信制御装置１０を備える情報システム１の処理フローの一例を示す図である。
【図６】本発明の第一の実施形態による情報配信制御装置１０を備える情報システム１のサービスの一例を示す図である。
【発明を実施するための形態】
【００１２】
図１は、本発明の情報配信制御装置１０の最小構成の一例を示す図である。
本発明の情報配信制御装置１０は、図１で示すように、少なくとも登録確認部１０１と、サービス提供指示部１０２とを備える。
情報配信制御装置１０が備える登録確認部１０１は、携帯端末装置の識別子が、当該携帯端末装置と通信しない別の情報配信制御装置１０の提供するサービスに登録されているか否かを示す情報を取得する。
サービス提供指示部１０２は、携帯端末装置の識別子が携帯端末装置と通信しない別の情報配信制御装置１０の提供するサービスに登録されていることを示す情報を登録確認部１０１が取得した場合に、携帯端末装置と通信しない別の情報配信制御装置１０に対して当該携帯端末装置へサービスを提供するよう指示する。
【００１３】
＜第一の実施形態＞
図２は、本発明の第一の実施形態による情報システム１の一例を示す図である。
図２で示すように、第一の実施形態による情報システム１は、情報配信制御装置１０ａと、情報配信制御装置１０ｂと、携帯端末装置２０と、携帯端末検知装置３０ａ、３０ｂ、３０ｃ、３０ｄ、・・・、３０ｊ、・・・と、ＰＵＳＨサーバ７０ａ、７０ｂとを備える。
なお、情報配信制御装置１０ａ、１０ｂ、・・・を総称して、情報配信制御装置１０と呼ぶことがある。また、携帯端末検知装置３０ａ、３０ｂ、３０ｃ、３０ｄ、・・・、３０ｊ、・・・を総称して、携帯端末検知装置３０と呼ぶことがある。また、ＰＵＳＨサーバ７０ａ、７０ｂ、・・・を総称して、ＰＵＳＨサーバ７０と呼ぶことがある。
【００１４】
第一の実施形態による情報配信制御装置１０は、図１で示した最小構成の一例である情報配信制御装置１０に加え、サービス提供制御部１０３と、登録判定部１０４と、記憶部１０９とを備える。
第一の実施形態による情報配信制御装置１０ａが備える登録確認部１０１ａは、情報配信制御装置１０ａに接続される携帯端末検知装置３０から携帯端末装置２０の識別子を取得する。登録確認部１０１ａは、携帯端末装置２０の識別子が、携帯端末装置２０と通信する情報配信制御装置１０ａを除く、携帯端末装置２０と通信しない情報配信制御装置１０ｂの提供するサービスに登録されているか否かを確認する登録確認信号を情報配信制御装置１０ｂに送信する。登録確認部１０１ａは、情報配信制御装置１０ｂから携帯端末装置２０の識別子が情報配信制御装置１０ｂの提供するサービスに登録されているか否かを示す情報を取得する。
【００１５】
サービス提供指示部１０２ａは、登録確認部１０１ａが情報配信制御装置１０ｂから携帯端末装置２０の識別子が情報配信制御装置１０ｂの提供するサービスに登録されていることを示す情報を取得した場合に、情報配信制御装置１０ｂに対して携帯端末装置２０へサービスを提供するよう指示する。
【００１６】
サービス提供制御部１０３ａは、携帯端末装置２０の識別子が情報配信制御装置１０ａの提供するサービスに登録されている場合に、携帯端末装置２０へサービスを提供するための制御を行う。
【００１７】
登録判定部１０４ａは、携帯端末装置２０の識別子が情報配信制御装置１０ａの提供するサービスに登録されているか否かを判定する。登録判定部１０４ａは、情報配信制御装置１０ｂから登録確認信号を受信した場合には、携帯端末装置２０の識別子が情報配信制御装置１０ａの提供するサービスに登録されているか否かの判定結果を情報配信制御装置１０ｂに送信する。また、登録判定部１０４ａは、情報配信制御装置１０ａに接続される携帯端末検知装置３０から携帯端末装置２０の識別子を取得する。登録判定部１０４ａは、携帯端末装置２０の識別子が情報配信制御装置１０ａの提供するサービスに登録されている場合に、サービス提供制御部１０３ａに携帯端末装置２０へサービスを提供するよう指示する。
記憶部１０９ａは、情報配信制御装置１０ａが行う処理に必要な種々の情報を記憶する記憶部である。なお、記憶部１０９ａは、図２では示していないが、１０ａが備える各機能部と接続されている。
【００１８】
同様に、第一の実施形態による情報配信制御装置１０ｂが備える登録確認部１０１ｂは、情報配信制御装置１０ｂに接続される携帯端末検知装置３０から携帯端末装置２０の識別子を取得する。登録確認部１０１ｂは、携帯端末装置２０の識別子が、携帯端末装置２０と通信する情報配信制御装置１０ｂを除く、携帯端末装置２０と通信しない情報配信制御装置１０ａの提供するサービスに登録されているか否かを確認する登録確認信号を情報配信制御装置１０ａに送信する。登録確認部１０１ｂは、情報配信制御装置１０ａから携帯端末装置２０の識別子が情報配信制御装置１０ａの提供するサービスに登録されているか否かを示す情報を取得する。
【００１９】
サービス提供指示部１０２ｂは、登録確認部１０１ｂが情報配信制御装置１０ａから携帯端末装置２０の識別子が情報配信制御装置１０ａの提供するサービスに登録されていることを示す情報を取得した場合に、情報配信制御装置１０ａに対して携帯端末装置２０へサービスを提供するよう指示する。
【００２０】
サービス提供制御部１０３ｂは、携帯端末装置２０の識別子が情報配信制御装置１０ｂの提供するサービスに登録されている場合に、携帯端末装置２０へサービスを提供するための制御を行う。
【００２１】
登録判定部１０４ｂは、携帯端末装置２０の識別子が情報配信制御装置１０ｂの提供するサービスに登録されているか否かを判定する。登録判定部１０４ｂは、情報配信制御装置１０ａから登録確認信号を受信した場合には、携帯端末装置２０の識別子が情報配信制御装置１０ｂの提供するサービスに登録されているか否かの判定結果を情報配信制御装置１０ａに送信する。また、登録判定部１０４ｂは、情報配信制御装置１０ｂに接続される携帯端末検知装置３０から携帯端末装置２０の識別子を取得する。登録判定部１０４ｂは、携帯端末装置２０の識別子が情報配信制御装置１０ｂの提供するサービスに登録されている場合に、サービス提供制御部１０３ｂに携帯端末装置２０へサービスを提供するよう指示する。
記憶部１０９ｂは、情報配信制御装置１０ｂが行う処理に必要な種々の情報を記憶する記憶部である。なお、記憶部１０９ｂは、図２では示していないが、１０ｂが備える各機能部と接続されている。
【００２２】
携帯端末装置２０は、通信装置であり、携帯端末検知装置３０が検出対象とする電波であり、携帯端末装置２０の識別子情報を含む電波を発信する。携帯端末装置２０は、例えばスマートフォンである。携帯端末装置２０は、ＰＵＳＨサーバから広告やクーポンなどの情報を取得することや、別の携帯端末装置との通信なども可能である。
【００２３】
携帯端末検知装置３０は、携帯端末装置２０が発信する電波を検出する。携帯端末検知装置３０は、携帯端末装置２０が発信する電波に係る情報に基づいて携帯端末装置２０の識別子を特定する識別子特定部を備える。携帯端末検知装置３０が備える識別子特定部は、例えば、検出した電波に含まれるデータフレームを検知する。携帯端末検知装置３０は、検知したデータフレームから携帯端末装置２０の識別子、例えば、ＭＡＣ（Ｍｅｄｉａ  Ａｃｃｅｓｓ  Ｃｏｎｔｒｏｌ）アドレスやシリアル番号などを取得する。
【００２４】
ＰＵＳＨサーバ７０は、制御信号を受信すると、配信情報を携帯端末装置２０にＰＵＳＨ配信する。
【００２５】
図３は、本発明の第一の実施形態による情報配信制御装置１０を備える情報システム１の処理フローの一例を示す図である。
次に、第一の実施形態による情報システム１の処理について図３を用いて説明する。ここでは、図２で示した情報システム１の処理を例に説明する。
なお、ショッピングモールが行う配信情報サービス、及び店舗が行う配信情報サービスへのユーザ登録は完了しており、ユーザの携帯端末装置２０（識別子：携帯端末装置ＩＤ２）は、広告やクーポンなどの配信情報を受信するためのアプリケーションプログラムがインストールされているものとする。また、携帯端末検知装置３０ｊは、ショッピングモールが設置し、情報配信制御装置１０ａに接続されているものとする。
【００２６】
ユーザが携帯端末装置２０を所持し、ショッピングモールの店舗Ｊに入ったとする。
すると、店舗Ｊに設置されている携帯端末検知装置３０ｊは、携帯端末装置２０が発信する電波を受信する。携帯端末検知装置３０ｊは、受信した電波に含まれる情報に基づいて、携帯端末装置２０を特定する。例えば、携帯端末検知装置３０ｊは、受信した電波に含まれるデータフレームを検知する。携帯端末検知装置３０ｊは、検知したデータフレームから携帯端末装置２０の識別子である携帯端末装置ＩＤ２を取得する。そして、携帯端末検知装置３０ｊは、取得した携帯端末装置ＩＤ２を情報配信制御装置１０ａに送信する（ステップＳ１）。
【００２７】
情報配信制御装置１０ａが備える登録確認部１０１ａは、携帯端末検知装置３０ｊから携帯端末装置ＩＤ２を受信すると、受信した携帯端末装置ＩＤ２が、携帯端末装置２０と通信する情報配信制御装置１０ａを除く、携帯端末装置２０と通信しない情報配信制御装置１０ｂの提供するサービスに登録されているか否かを確認する携帯端末装置ＩＤ２の情報を含む登録確認信号を情報配信制御装置１０ｂに送信する（ステップＳ２）。
【００２８】
情報配信制御装置１０ｂが備える登録判定部１０４ｂは、情報配信制御装置１０ａから登録確認信号を受信すると、携帯端末装置ＩＤ２に含まれる携帯端末装置ＩＤ２が情報配信制御装置１０ｂの提供するサービスに登録されているか否かを判定する。登録判定部１０４ｂは、携帯端末装置ＩＤ２が情報配信制御装置１０ｂの提供するサービスに登録されているか否かを示す登録回答信号を情報配信制御装置１０ａに送信する（ステップＳ３）。例えば、登録判定部１０４ｂは、記憶部１０９ｂが記憶する情報配信制御装置１０ｂの提供するサービスに登録されている携帯端末装置２０の識別子の中に携帯端末装置ＩＤ２が存在するか否かを判定する。登録判定部１０４ｂは、判定結果を登録回答信号の特定の１ビットに含ませる。
【００２９】
登録確認部１０１ａは、情報配信制御装置１０ｂから登録回答信号を受信する。登録確認部１０１ａは、受信した登録回答信号が情報配信制御装置１０ｂの提供するサービスに登録されていることを示す信号であるか否かを判定する（ステップＳ４）。例えば、登録確認部１０１ａは、登録回答信号の特定の１ビットが１であるか０であるかに基づいてサービスに登録されていることを示す信号であるか否かを判定する。
【００３０】
登録確認部１０１ａは、受信した登録回答信号が情報配信制御装置１０ｂの提供するサービスに登録されていないことを示す信号であると判定した場合には（ステップＳ４、ＮＯ）、次の情報を受信する準備以外には何もしない。
登録確認部１０１ａは、受信した登録回答信号が情報配信制御装置１０ｂの提供するサービスに登録されていることを示す信号であると判定した場合には（ステップＳ４、ＹＥＳ）、サービス提供指示部１０２ａにサービスを提供するよう情報配信制御装置１０ｂに指示するサービス指示信号を送信するように指令信号を出力する。
サービス提供指示部１０２ａは、登録確認部１０１ａから指令信号を入力すると、サービス指示信号を情報配信制御装置１０ｂに送信する（ステップＳ５）。このとき、サービス提供指示部１０２ａは、サービス指示信号の情報配信制御装置１０ｂへの送信回数をカウントする（ステップＳ６）。
【００３１】
サービス提供制御部１０３ｂは、情報配信制御装置１０ａからサービス指示信号を受信すると、情報配信制御装置１０ｂの提供するサービスを携帯端末装置２０に提供するように制御する制御信号をＰＵＳＨサーバ７０に送信する（ステップＳ７）。例えば、サービス提供制御部１０３ｂは、携帯端末装置２０の識別子である携帯端末装置ＩＤ２と、どの配信情報をＰＵＳＨ配信するかを示す配信情報番号とを含む制御信号をＰＵＳＨサーバ７０ｂに送信する。
ＰＵＳＨサーバ７０ｂは、サービス提供制御部１０３ｂから制御信号を受信すると、受信した制御信号に基づいて、配信情報をＰＵＳＨ配信する。
【００３２】
また、情報配信制御装置１０ａが備える登録判定部１０４ａは、携帯端末検知装置３０ｊから携帯端末装置ＩＤ２を受信すると、受信した携帯端末装置ＩＤ２が情報配信制御装置１０ａの提供するサービスに登録されているか否かを判定する（ステップＳ８）。
【００３３】
登録判定部１０４ａは、携帯端末装置ＩＤ２が情報配信制御装置１０ａの提供するサービスに登録されていないと判定した場合には（ステップＳ８、ＮＯ）、次の情報を受信する準備以外には何もしない。
登録判定部１０４ａは、携帯端末装置ＩＤ２が情報配信制御装置１０ａの提供するサービスに登録されていると判定した場合には（ステップＳ８、ＹＥＳ）、情報配信制御装置１０ａの提供するサービスを携帯端末装置２０に提供するよう指示する自装置サービス指示信号をサービス提供制御部１０３ａに出力する。
サービス提供制御部１０３ａは、登録判定部１０４ａから自装置サービス指示信号を入力すると、情報配信制御装置１０ａの提供するサービスを携帯端末装置２０に提供するように制御する制御信号をＰＵＳＨサーバ７０ａに送信する（ステップＳ９）。例えば、サービス提供制御部１０３ａは、携帯端末装置２０の識別子である携帯端末装置ＩＤ２と、どの配信情報をＰＵＳＨ配信するかを示す配信情報番号とを含む制御信号をＰＵＳＨサーバ７０ａに送信する。
ＰＵＳＨサーバ７０ａは、サービス提供制御部１０３ａから制御信号を受信すると、受信した制御信号に含まれる配信情報番号に対応する配信情報を携帯端末装置ＩＤ２に対応する携帯端末装置２０にＰＵＳＨ配信する。
【００３４】
なお、携帯端末装置２０が発信した電波を情報配信制御装置１０ｂに接続された、例えば携帯端末検知装置３０ｄが受信した場合にも、情報配信制御装置１０ａと１０ｂとの処理を入れ換えて考えることで同様に考えることができる。
また、第一の実施形態による情報システム１において、携帯端末装置２０が発信する電波に係る情報に基づいて携帯端末装置２０の識別子を特定する識別子特定部を携帯端末検知装置３０が備えるものとして説明した。しかしながら、それに限定するものではない。例えば、携帯端末検知装置３０は携帯端末装置２０から受信した電波を情報配信制御装置１０に送信し、情報配信制御装置１０が識別子特定部を備え、携帯端末装置２０の識別子を特定してもよい。
【００３５】
以上、本発明の第一の実施形態による情報配信制御装置１０を備える情報システム１の処理について説明した。上述の情報配信制御装置１０を備える情報システム１によれば、登録確認部１０１ａは、携帯端末装置２０の識別子である携帯端末装置ＩＤ２が情報配信制御装置１０ｂの提供するサービスに登録されているか否かを示す情報を取得する。登録確認部１０１ａが情報配信制御装置１０ｂから携帯端末装置ＩＤ２が情報配信制御装置１０ｂの提供するサービスに登録されていることを示す情報を取得した場合に、サービス提供指示部１０２ａは、サービス提供制御部１０３ｂに対して情報配信制御装置１０ｂが提供するサービスを携帯端末装置２０に提供するよう指示する。
このようにすれば、ショッピングモールと店舗とが同一箇所に設置する携帯端末検知装置３０ｊにし、かつ情報配信制御装置１０ａと１０ｂとが扱う情報を分離でき、情報配信制御装置１０ａと１０ｂと間での個人情報の授受は携帯端末装置ＩＤのみで２つの異なる配信情報のＰＵＳＨ配信を指示することができる。そのため、同一箇所に設置する携帯端末検知装置３０を１台にし、個人情報を保護して異なるＰＵＳＨ配信サービスの登録ユーザの携帯端末装置に適切な配信情報をＰＵＳＨ配信することができる。
また、サービス提供指示部１０２ａは、サービス指示信号の情報配信制御装置１０ｂへの送信回数をカウントする。サービス提供指示部１０２ｂは、サービス指示信号の情報配信制御装置１０ａへの送信回数をカウントする。
このようにすれば、カウント数が、情報配信制御装置１０ａと１０ｂとの間で行われた代行回数となり、ショッピングモールと店舗間でカウント数の差に応じて料金の授受を行うことができる。
また、登録判定部１０４ａは、携帯端末装置２０の識別子が情報配信制御装置１０ａの提供するサービスに登録されているか否かを判定する。サービス提供制御部１０３ａは、携帯端末装置２０の識別子が情報配信制御装置１０ａの提供するサービスに登録されている場合に、携帯端末装置２０へサービスを提供するための制御を行う。
このようにすれば、情報配信制御装置１０ａは、自装置で携帯端末装置２０が情報配信制御装置１０ａの提供するサービスに登録されているか否かを判定し、情報配信制御装置１０ａの提供するサービスを携帯端末装置２０に提供することができる。
【００３６】
＜第二の実施形態＞
図４は、本発明の第二の実施形態による情報システム１の一例を示す図である。
図４で示すように、第二の実施形態による情報システム１は、情報配信制御装置１０ａと、情報配信制御装置１０ｂと、携帯端末装置２０と、携帯端末検知装置３０ａ、３０ｂ、３０ｃ、３０ｄ、・・・、３０ｊ、・・・と、ＰＵＳＨサーバ７０ａ、７０ｂと、登録管理装置８０と、記憶部１０９ｃとを備える。
【００３７】
第二の実施形態による情報配信制御装置１０は、図２で示した第一の実施形態による情報配信制御装置１０と同様に、登録確認部１０１と、サービス提供指示部１０２と、サービス提供制御部１０３と、登録判定部１０４と、記憶部１０９とを備える。
【００３８】
ただし、第二の実施形態による情報配信制御装置１０ａが備える登録確認部１０１ａは、情報配信制御装置１０ａに接続される携帯端末検知装置３０から携帯端末装置２０の識別子を取得する。登録確認部１０１ａは、携帯端末装置２０の識別子が、携帯端末装置２０と通信する情報配信制御装置１０ａを除く、携帯端末装置２０と通信しない情報配信制御装置１０ｂの提供するサービスに登録されているか否かを確認する登録確認信号を登録管理装置８０に送信する。登録確認部１０１ａは、登録管理装置８０から携帯端末装置２０の識別子が情報配信制御装置１０ｂの提供するサービスに登録されているか否かを示す情報を取得する。
【００３９】
サービス提供指示部１０２ａは、登録確認部１０１ａが登録管理装置８０から携帯端末装置２０の識別子が情報配信制御装置１０ｂの提供するサービスに登録されていることを示す情報を取得した場合に、登録管理装置８０に対して携帯端末装置２０へサービスを提供するよう指示する。
【００４０】
サービス提供制御部１０３ａは、携帯端末装置２０の識別子が情報配信制御装置１０ａの提供するサービスに登録されている場合に、携帯端末装置２０へサービスを提供するための制御を行う。
【００４１】
登録判定部１０４ａは、携帯端末装置２０の識別子が情報配信制御装置１０ａの提供するサービスに登録されているか否かを判定する。また、登録判定部１０４ａは、情報配信制御装置１０ａに接続される携帯端末検知装置３０から携帯端末装置２０の識別子を取得する。登録判定部１０４ａは、携帯端末装置２０の識別子が情報配信制御装置１０ａの提供するサービスに登録されている場合に、サービス提供制御部１０３ａに携帯端末装置２０へサービスを提供するよう指示する。
記憶部１０９ａは、情報配信制御装置１０ａが行う処理に必要な種々の情報を記憶する記憶部である。
【００４２】
同様に、第二の実施形態による情報配信制御装置１０ｂが備える登録確認部１０１ｂは、情報配信制御装置１０ｂに接続される携帯端末検知装置３０から携帯端末装置２０の識別子を取得する。登録確認部１０１ｂは、携帯端末装置２０の識別子が、携帯端末装置２０と通信する情報配信制御装置１０ｂを除く、携帯端末装置２０と通信しない情報配信制御装置１０ａの提供するサービスに登録されているか否かを確認する登録確認信号を登録管理装置８０に送信する。登録確認部１０１ｂは、登録管理装置８０から携帯端末装置２０の識別子が情報配信制御装置１０ａの提供するサービスに登録されているか否かを示す情報を取得する。
【００４３】
サービス提供指示部１０２ｂは、登録確認部１０１ｂが登録管理装置８０から携帯端末装置２０の識別子が情報配信制御装置１０ｂの提供するサービスに登録されていることを示す情報を取得した場合に、登録管理装置８０に対して携帯端末装置２０へサービスを提供するよう指示する。
【００４４】
サービス提供制御部１０３ｂは、携帯端末装置２０の識別子が情報配信制御装置１０ｂの提供するサービスに登録されている場合に、携帯端末装置２０へサービスを提供するための制御を行う。
【００４５】
登録判定部１０４ｂは、携帯端末装置２０の識別子が情報配信制御装置１０ｂの提供するサービスに登録されているか否かを判定する。また、登録判定部１０４ｂは、情報配信制御装置１０ｂに接続される携帯端末検知装置３０から携帯端末装置２０の識別子を取得する。登録判定部１０４ｂは、携帯端末装置２０の識別子が情報配信制御装置１０ｂの提供するサービスに登録されている場合に、サービス提供制御部１０３ｂに携帯端末装置２０へサービスを提供するよう指示する。
記憶部１０９ｂは、情報配信制御装置１０ｂが行う処理に必要な種々の情報を記憶する記憶部である。
【００４６】
携帯端末装置２０は、通信装置であり、携帯端末検知装置３０が検出対象とする電波であり、携帯端末装置２０の識別子情報を含む電波を発信する。携帯端末装置２０は、例えばスマートフォンである。
携帯端末検知装置３０は、携帯端末装置２０が発信する電波を検出する。携帯端末検知装置３０は、携帯端末装置２０が発信する電波に係る情報に基づいて携帯端末装置２０の識別子を特定する識別子特定部を備える。
ＰＵＳＨサーバ７０は、制御信号を受信すると、配信情報を携帯端末装置２０にＰＵＳＨ配信する。
【００４７】
登録管理装置８０は、情報配信制御装置１０ａ、１０ｂの提供するサービスに登録されている携帯端末装置２０の識別子を管理する。登録管理装置８０は、登録確認部１０１ａから登録確認信号を受信する。登録管理装置８０は、携帯端末装置２０の識別子が情報配信制御装置１０ｂの提供するサービスに登録されているか否かを示す情報を登録確認部１０１ａに送信する。登録管理装置８０は、サービス提供指示部１０２ａから携帯端末装置２０へサービスを提供するよう指示された場合に、サービス提供制御部１０３ｂに対して情報配信制御装置１０ｂが提供するサービスを携帯端末装置２０に提供するよう指示する。
また、登録管理装置８０は、登録確認部１０１ｂから登録確認信号を受信する。登録管理装置８０は、携帯端末装置２０の識別子が情報配信制御装置１０ａの提供するサービスに登録されているか否かを示す情報を登録確認部１０１ｂに送信する。登録管理装置８０は、サービス提供指示部１０２ｂから携帯端末装置２０へサービスを提供するよう指示された場合に、サービス提供制御部１０３ａに対して情報配信制御装置１０ａが提供するサービスを携帯端末装置２０に提供するよう指示する。
記憶部１０９ｃは、登録管理装置８０が行う処理に必要な種々の情報を記憶する記憶部である。
【００４８】
図５は、本発明の第二の実施形態による情報配信制御装置１０を備える情報システム１の処理フローの一例を示す図である。
次に、第二の実施形態による情報システム１の処理について図５を用いて説明する。ここでは、図４で示した情報システム１の処理を例に説明する。
なお、ショッピングモールが行う配信情報サービス、及び店舗が行う配信情報サービスへのユーザ登録は完了しており、ユーザの携帯端末装置２０（識別子：携帯端末装置ＩＤ２）は、広告やクーポンなどの配信情報を受信するためのアプリケーションプログラムがインストールされているものとする。また、携帯端末検知装置３０ｊは、ショッピングモールが設置し、情報配信制御装置１０ａに接続されているものとする。
【００４９】
ユーザが携帯端末装置２０を所持し、ショッピングモールの店舗Ｊに入ったとする。
すると、店舗Ｊに設置されている携帯端末検知装置３０ｊは、携帯端末装置２０が発信する電波を受信する。携帯端末検知装置３０ｊは、受信した電波に含まれる情報に基づいて、携帯端末装置２０を特定する。携帯端末検知装置３０ｊは、検知したデータフレームから携帯端末装置２０の識別子である携帯端末装置ＩＤ２を取得する。そして、携帯端末検知装置３０ｊは、取得した携帯端末装置ＩＤ２を情報配信制御装置１０ａに送信する（ステップＳ１１）。
【００５０】
情報配信制御装置１０ａが備える登録確認部１０１ａは、携帯端末検知装置３０ｊから携帯端末装置ＩＤ２を受信すると、受信した携帯端末装置ＩＤ２が、携帯端末装置２０と通信する情報配信制御装置１０ａを除く、携帯端末装置２０と通信しない情報配信制御装置１０ｂの提供するサービスに登録されているか否かを確認する携帯端末装置ＩＤ２の情報を含む登録確認信号を登録管理装置８０に送信する（ステップＳ１２）。
【００５１】
登録管理装置８０は、情報配信制御装置１０ａから登録確認信号を受信すると、携帯端末装置ＩＤ２に含まれる携帯端末装置ＩＤ２が情報配信制御装置１０ｂの提供するサービスに登録されているか否かを判定する。登録管理装置８０は、携帯端末装置ＩＤ２が情報配信制御装置１０ｂの提供するサービスに登録されているか否かを示す登録回答信号を情報配信制御装置１０ａに送信する（ステップＳ１３）。例えば、登録管理装置８０は、記憶部１０９ｃが記憶する情報配信制御装置１０ｂの提供するサービスに登録されている携帯端末装置２０の識別子の中に携帯端末装置ＩＤ２が存在するか否かを判定する。登録管理装置８０は、判定結果を登録回答信号の特定の１ビットに含ませる。
【００５２】
登録確認部１０１ａは、登録管理装置８０から登録回答信号を受信する。登録確認部１０１ａは、受信した登録回答信号が情報配信制御装置１０ｂの提供するサービスに登録されていることを示す信号であるか否かを判定する（ステップＳ１４）。
【００５３】
登録確認部１０１ａは、受信した登録回答信号が情報配信制御装置１０ｂの提供するサービスに登録されていないことを示す信号であると判定した場合には（ステップＳ１４、ＮＯ）、次の情報を受信する準備以外には何もしない。
登録確認部１０１ａは、受信した登録回答信号が情報配信制御装置１０ｂの提供するサービスに登録されていることを示す信号であると判定した場合には（ステップＳ１４、ＹＥＳ）、サービス提供指示部１０２ａにサービスを提供するよう登録管理装置８０に指示するサービス指示信号を送信するように指令信号を出力する。
サービス提供指示部１０２ａは、登録確認部１０１ａから指令信号を入力すると、サービス指示信号を登録管理装置８０に送信する（ステップＳ１５）。
【００５４】
登録管理装置８０は、サービス提供指示部１０２ａからサービス指示信号を受信すると、サービス指示信号の受信回数をカウントする（ステップＳ１６）。登録管理装置８０は、受信したサービス指示信号をサービス提供制御部１０３ｂに送信する（ステップＳ１７）。
サービス提供制御部１０３ｂは、登録管理装置８０からサービス指示信号を受信すると、情報配信制御装置１０ｂの提供するサービスを携帯端末装置２０に提供するように制御する制御信号をＰＵＳＨサーバ７０に送信する（ステップＳ１８）。
ＰＵＳＨサーバ７０ｂは、サービス提供制御部１０３ｂから制御信号を受信すると、受信した制御信号に基づいて、配信情報をＰＵＳＨ配信する。
【００５５】
また、情報配信制御装置１０ａが備える登録判定部１０４ａは、携帯端末検知装置３０ｊから携帯端末装置ＩＤ２を受信すると、受信した携帯端末装置ＩＤ２が情報配信制御装置１０ａの提供するサービスに登録されているか否かを判定する（ステップＳ１９）。
【００５６】
登録判定部１０４ａは、携帯端末装置ＩＤ２が情報配信制御装置１０ａの提供するサービスに登録されていないと判定した場合には（ステップＳ１９、ＮＯ）、次の情報を受信する準備以外には何もしない。
登録判定部１０４ａは、携帯端末装置ＩＤ２が情報配信制御装置１０ａの提供するサービスに登録されていると判定した場合には（ステップＳ１９、ＹＥＳ）、情報配信制御装置１０ａの提供するサービスを携帯端末装置２０に提供するよう指示する自装置サービス指示信号をサービス提供制御部１０３ａに出力する。
サービス提供制御部１０３ａは、登録判定部１０４ａから自装置サービス指示信号を入力すると、情報配信制御装置１０ａの提供するサービスを携帯端末装置２０に提供するように制御する制御信号をＰＵＳＨサーバ７０ａに送信する（ステップＳ２０）。
ＰＵＳＨサーバ７０ａは、サービス提供制御部１０３ａから制御信号を受信すると、受信した制御信号に基づいて、配信情報をＰＵＳＨ配信する。
【００５７】
なお、携帯端末装置２０が発信した電波を情報配信制御装置１０ｂに接続された、例えば携帯端末検知装置３０ｄが受信した場合にも、情報配信制御装置１０ａと１０ｂとの処理を入れ換えて考えることで同様に考えることができる。
【００５８】
以上、本発明の第二の実施形態による情報配信制御装置１０を備える情報システム１の処理について説明した。上述の情報配信制御装置１０を備える情報システム１によれば、登録管理装置８０は、登録確認部１０１ａから登録確認信号を受信する。登録管理装置８０は、携帯端末装置２０の識別子が情報配信制御装置１０ｂの提供するサービスに登録されているか否かを示す情報を登録確認部１０１ａに送信する。登録確認部１０１ａは、携帯端末装置２０の識別子である携帯端末装置ＩＤ２が情報配信制御装置１０ｂの提供するサービスに登録されているか否かを示す情報を取得する。登録確認部１０１ａが登録管理装置８０から携帯端末装置ＩＤ２が情報配信制御装置１０ｂの提供するサービスに登録されていることを示す情報を取得した場合に、サービス提供指示部１０２ａは、登録管理装置８０に対して情報配信制御装置１０ｂが提供するサービスを携帯端末装置２０に提供するよう指示する。登録管理装置８０は、サービス提供指示部１０２ａから携帯端末装置２０へサービスを提供するよう指示された場合に、サービス提供制御部１０３ｂに対して情報配信制御装置１０ｂが提供するサービスを携帯端末装置２０に提供するよう指示する。
このようにすれば、ショッピングモールと店舗とが同一箇所に設置する携帯端末検知装置３０ｊにし、かつ情報配信制御装置１０ａと１０ｂとが扱う情報を分離でき、情報配信制御装置１０ａと１０ｂと間で直接情報の授受を行うことがない。また、情報配信制御装置１０ａと１０ｂのそれぞれは、登録管理装置８０と個人情報として携帯端末装置ＩＤのみを授受して２つの異なる配信情報のＰＵＳＨ配信を指示することができる。そのため、同一箇所に設置する携帯端末検知装置３０を１台にし、個人情報を保護して異なるＰＵＳＨ配信サービスの登録ユーザの携帯端末装置に適切な配信情報をＰＵＳＨ配信することができる。
また、登録管理装置８０は、情報配信制御装置１０からのサービス指示信号の受信回数をカウントする。
このようにすれば、中立な立場の登録管理装置８０が、情報配信制御装置１０ａと１０ｂとの間で行われた代行回数をカウントし、ショッピングモールと店舗間でカウント数の差に応じて料金の授受を行うことができる。
【００５９】
なお、本発明における実施形態による情報配信制御装置１０を備える情報システム１は、以下のように運営することができる。
【００６０】
図６は、本発明の第一の実施形態による情報配信制御装置１０を備える情報システム１の運営の一例を示す図である。
図６で示す情報システム１が備える通知制御サーバ１０ａは、図２で示した第一の実施形態による情報配信制御装置１０ａを備えるサーバである。また、通知制御サーバ１０ｂは、図２で示した第一の実施形態による情報配信制御装置１０ｂを備えるサーバである。なお、通知制御サーバ１０ａと１０ｂとは１つのサーバであってもよい。
【００６１】
携帯端末装置２０（２０ａ、２０ｂ）は、情報サーバ４０（４０ａ、４０ｂ）と通信を行う。携帯端末装置２０は、例えばスマートフォンである。携帯端末装置２０は、ＰＵＳＨサーバから広告やクーポンなどの情報を取得することや、別の携帯端末装置との通信なども可能である。
携帯端末検知装置３０は、携帯端末装置２０の識別子と自装置の識別子とを認証／収集サーバ５０に送信する。
【００６２】
情報サーバ４０は、携帯端末装置２０と通信を行い、情報提供などのサービスを提供する。例えば、情報サーバ４０ａは、携帯端末装置２０のユーザによるユーザ登録などの携帯端末装置２０への操作に基づいて、ショッピングモールが広告やクーポンなどを提供するためのアプリケーションプログラムを携帯端末装置２０に送信する。また、情報サーバ４０ａは、携帯端末装置２０のユーザによるユーザ登録などの操作に基づいて取得したユーザ情報を認証／収集サーバ５０を介して通知制御サーバ１０ａに送信する。また、情報サーバ４０ｂは、携帯端末装置２０のユーザによるユーザ登録などの携帯端末装置２０への操作に基づいて、店舗が広告やクーポンなどを提供するためのアプリケーションプログラムを携帯端末装置２０に送信する。また、情報サーバ４０ｂは、携帯端末装置２０のユーザによるユーザ登録などの操作に基づいて取得したユーザ情報を認証／収集サーバ５０を介して通知制御サーバ１０ｂに送信する。
【００６３】
認証／収集サーバ５０は、情報サーバ４０ａからユーザ情報を取得する。また、認証／収集サーバ５０は、携帯端末検知装置３０ａから携帯端末装置２０の識別子を取得する。認証／収集サーバ５０は、取得したユーザ情報と、携帯端末装置２０の識別子を情報配信制御装置１０ａに送信する。また、認証／収集サーバ５０は、情報サーバ４０ｂからユーザ情報を取得する。また、認証／収集サーバ５０は、携帯端末検知装置３０ｂから携帯端末装置２０の識別子を取得する。認証／収集サーバ５０は、取得したユーザ情報と、携帯端末装置２０の識別子を情報配信制御装置１０ｂに送信する。
【００６４】
ＰＵＳＨ連携サーバ６０は、情報配信制御装置１０（１０ａ、１０ｂ）から配信情報を携帯端末装置２０に配信するよう制御する制御信号を受信する。ＰＵＳＨ連携サーバ６０は、受信した制御信号をＰＵＳＨサーバ７０に送信する。
【００６５】
ＰＵＳＨサーバ７０は、ＰＵＳＨ連携サーバ６０から制御信号を受信する。ＰＵＳＨサーバ７０は、制御信号を受信すると、配信情報を携帯端末装置２０にＰＵＳＨ配信する。
【００６６】
ショッピングモールは、自ショッピングモールに携帯端末検知装置３０を設置する。また、ショッピングモール内のある店舗は、ショッピングモール外の店舗に携帯端末検知装置３０を設置する。そして、携帯端末検知装置３０が検知した携帯端末装置２０の登録ユーザに配信情報（広告やクーポンなど）を配信することで来客の増加を図る。また、ショッピングモールとショッピングモール内のある店舗は、お互いに情報配信の代行を行う。ショッピングモールは、配信情報の配信制御を制御サービス運営者に委託する。また、ショッピングモールは、自ら情報サーバ４０を運営し、配信情報サービスのユーザ登録の受け付け、配信情報サービスを受けるためのアプリケーションプログラムの提供などを行う。なお、ショッピングモールや店舗が、登録ユーザの携帯端末装置２０に配信情報を配信してもよい。
【００６７】
制御サービス運営者は、ネットワーク回線の使用に関して基盤サービス運営者と契約する。制御サービス運営者は、ショッピングモールからの委託に基づいて、通知制御サーバ１０を運営する。制御サービス運営者は、通知制御サーバ１０を用いて、基盤サービス運営者から提供されるネットワーク回線を使用し、配信情報を登録ユーザの携帯端末装置２０に配信する制御を行う。
なお、制御サービス運営者が基盤サービス運営者と行うネットワーク回線を使用するサービス契約は、例えば、月額利用料での契約であり、情報総量による従量制や、想定登録者／トラフィック上限などを設ける定額制などを採用する。
【００６８】
基盤サービス運営者は、制御サービス運営者との契約に基づき、認証／収集サーバ５０やＰＵＳＨ連携サーバ６０の運営を行う。また、基盤サービス運営者は、ショッピングモールに携帯端末検知装置３０の貸し出しや販売を行う。
【００６９】
なお、基盤サービス運営者は、制御サービス運営者に対して、収容している登録ユーザの検出情報のみをリアルタイムで提供する。制御サービス運営者は、基盤サービス運営者から提供された登録ユーザのユーザ情報や時間帯などを分析し、その分析結果に応じて配信情報を決定する。制御サービス運営者は、決定した配信情報の配信を基盤サービス運営者に指示する。基盤サービス運営者は、制御サービス運営者からの配信の指示に従い、ＰＵＳＨサーバ７０を介して対象ユーザの携帯端末装置２０に配信情報を配信する。ただし、勝地においては、制御サービス運営者は、イベント情報などを一斉配信する配信の指示を基盤サービス運営者に指示するものであってもよい。
【００７０】
なお、本発明における記憶部１０９（１０９ａ、１０９ｂ、１０９ｃ）は、適切な情報の送受信が行われる範囲においてどこに備えられていてもよい。また、記憶部１０９は、適切な情報の送受信が行われる範囲において複数存在しデータを分散して記憶していてもよい。
【００７１】
なお本発明の実施形態における処理フローは、適切な処理が行われる範囲において、処理の順番が入れ替わってもよい。
【００７２】
なお本発明の実施形態における情報配信制御装置１０の機能の一部は、別の装置が備えてもよい。例えば、サービス提供制御部１０３はＰＵＳＨサーバ７０が備えてもよい。
【００７３】
なお本発明の実施形態について説明したが、上述の情報配信制御装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７４】
また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００７５】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００７６】
１・・・情報システム
１０、１０ａ、１０ｂ・・・情報配信制御装置
２０、２０ａ、２０ｂ・・・携帯端末装置
３０ａ、３０ｂ、３０ｃ、３０ｄ、３０ｊ・・・携帯端末検知装置
４０、４０ａ、４０ｂ・・・情報サーバ
５０・・・認証／収集サーバ
６０・・・ＰＵＳＨ連携サーバ
７０、７０ａ、７０ｂ・・・ＰＵＳＨサーバ
８０・・・登録管理装置
１０１、１０１ａ、１０１ｂ・・・登録確認部
１０２、１０２ａ、１０２ｂ・・・サービス提供指示部
１０３、１０３ａ、１０３ｂ・・・サービス提供制御部
１０４、１０４ａ、１０４ｂ・・・登録判定部
１０９、１０９ａ、１０９ｂ、１０９ｃ・・・記憶部
【図１】
2015177500.tif 000003
【図２】
2015177500.tif 000004
【図３】
2015177500.tif 000005
【図４】
2015177500.tif 000006
【図５】
2015177500.tif 000007
【図６】
2015177500.tif 000008